(57)【特許請求の範囲】
【請求項１】
無線通信端末から受信された基地局情報に基づいて無線通信端末のおおよその位置を特定し、無線通信端末から受信された位置関連情報に基づいて無線通信端末の位置を特定する位置情報サーバと通信可能に構成され、測位開始の操作がなされると取得した基地局情報を電話無線手段から送信するように構成された無線通信端末であって、
位置情報サーバから位置関連情報の送信条件が前記電話無線手段により受信されたことを検出すると位置関連情報を取得する位置関連情報取得手段と、前記位置関連情報取得手段により取得された位置関連情報を前記電話無線手段から位置情報サーバに送信させる制御手段とを備え、
前記位置関連情報取得手段は、位置関連情報として、ＧＰＳ衛星に関するＧＰＳ衛星情報を取得し、
前記制御手段は、前記位置関連情報取得手段により取得されたＧＰＳ衛星情報のうちから、前記位置情報サーバから前記電話無線手段により受信された、前記おおよその位置に基づいて設定されたＧＰＳ衛星電波の受信電力の閾値に基づいた送信条件を満たすＧＰＳ衛星情報を抽出し、その抽出されたＧＰＳ衛星情報を前記位置情報サーバに送信させることを特徴とする無線通信端末。
【請求項２】
無線通信端末から受信された基地局情報に基づいて無線通信端末のおおよその位置を特定し、無線通信端末から受信された位置関連情報に基づいて無線通信端末の位置を特定する位置情報サーバと通信可能に構成され、測位開始の操作がなされると取得した基地局情報を電話無線手段から送信するように構成された無線通信端末であって、
位置情報サーバから位置関連情報の送信条件が前記電話無線手段により受信されたことを検出すると位置関連情報を取得する位置関連情報取得手段と、前記位置関連情報取得手段により取得された位置関連情報を前記電話無線手段から位置情報サーバに送信させる制御手段とを備え、
前記位置関連情報取得手段は、位置関連情報として、ＧＰＳ衛星に関するＧＰＳ衛星情報を取得し、
前記制御手段は、前記位置関連情報取得手段により取得されたＧＰＳ衛星情報のうちから、前記位置情報サーバから前記電話無線手段により受信された、前記おおよその位置に基づいて設定されたＧＰＳ衛星電波の位相差のばらつきの閾値に基づいた送信条件を満たすＧＰＳ衛星情報を抽出し、その抽出されたＧＰＳ衛星情報を前記位置情報サーバに送信させることを特徴とする無線通信端末。
【請求項３】
無線通信端末から受信された基地局情報に基づいて無線通信端末のおおよその位置を特定し、無線通信端末から受信された位置関連情報に基づいて無線通信端末の位置を特定する位置情報サーバと通信可能に構成され、測位開始の操作がなされると取得した基地局情報を電話無線手段から送信するように構成された無線通信端末であって、
位置情報サーバから位置関連情報の送信条件が前記電話無線手段により受信されたことを検出すると位置関連情報を取得する位置関連情報取得手段と、前記位置関連情報取得手段により取得された位置関連情報を前記電話無線手段から位置情報サーバに送信させる制御手段とを備え、
前記位置関連情報取得手段は、位置関連情報として、基地局に関する基地局情報を取得し、
前記制御手段は、前記位置関連情報取得手段により取得された基地局情報のうちから、前記位置情報サーバから前記電話無線手段により受信された、前記おおよその位置の基地局の設置形態に応じて設定された基地局電波の信号対ノイズ比の閾値に基づいた送信条件を満たす基地局情報を抽出し、その抽出された基地局情報を前記位置情報サーバに送信させることを特徴とする無線通信端末。
【請求項４】
無線通信端末から受信された基地局情報に基づいて無線通信端末のおおよその位置を特定し、無線通信端末から受信された位置関連情報に基づいて無線通信端末の位置を特定する位置情報サーバと通信可能に構成され、測位開始の操作がなされると取得した基地局情報を電話無線手段から送信するように構成された無線通信装置であって、
位置情報サーバから位置関連情報の送信条件が前記電話無線手段により受信されたことを検出すると位置関連情報を取得する位置関連情報取得手段と、前記位置関連情報取得手段により取得された位置関連情報を前記電話無線手段から位置情報サーバに送信させる制御手段とを備え、
前記位置関連情報取得手段は、位置関連情報として、基地局に関する基地局情報を取得し、
前記制御手段は、前記位置関連情報取得手段により取得された基地局情報のうちから、前記位置情報サーバから前記電話無線手段により受信された、前記おおよその位置の基地局の設置形態に応じて設定された基地局電波の位相差のばらつきの閾値に基づいた送信条件を満たす基地局情報を抽出し、その抽出された基地局情報を前記位置情報サーバに送信させることを特徴とする無線通信端末。
【発明の詳細な説明】
【０００１】
【発明の属する技術分野】
本発明は、位置関連情報を取得して位置情報サーバに送信するように構成された無線通信端末、前記無線通信端末にて実行されるコンピュータプログラムならびに位置関連情報の送信方法に関する。
【０００２】
【発明が解決しようとする課題】
近年、例えば携帯電話機などの無線通信端末の位置を特定する位置特定システムの一つとして、ＩＳ（Interim Standard）８０１規格上で実現されるシステムがある。図８は、このＩＳ８０１規格上で実現される処理の一例の流れを概略的に示している。携帯電話機は、例えばユーザの操作による測位開始の指示があると、周辺基地局を検索し、その検索された基地局に関する基地局情報を取得し、その取得された基地局情報を位置情報サーバに送信すると共に、自機がＧＰＳ  （Grobal Positioning System ）衛星を検索するのに有益なアシスト情報を要求する。
【０００３】
位置情報サーバは、携帯電話機から基地局情報を受信すると、その受信された基地局情報に基づいて携帯電話機のおおよその位置を特定すると共に、携帯電話機からアシスト情報の要求を受付けると、携帯電話機がＧＰＳ衛星を検索するのに有益なアシスト情報を算出し、その算出されたアシスト情報を携帯電話機に送信する。携帯電話機は、位置情報サーバからアシスト情報を受信すると、その受信されたアシスト情報に基づいてＧＰＳ衛星を検索し、その検索されたＧＰＳ衛星に関するＧＰＳ衛星情報を取得すると共に、基地局を再度検索し、その検索された基地局に関する基地局情報を再度取得し、それら取得されたＧＰＳ衛星情報ならびに基地局情報を位置情報サーバに送信すると共に、位置特定結果を要求する。
【０００４】
そして、位置情報サーバは、携帯電話機からＧＰＳ衛星情報ならびに基地局情報を受信すると共に、携帯電話機から位置特定結果の要求を受付けると、それら受信されたＧＰＳ衛星情報ならびに基地局情報に基づいて携帯電話機の位置を特定し、その特定された位置を表す位置特定結果を携帯電話機に送信する。
【０００５】
このものによれば、携帯電話機がアルマナック情報を保持する必要なく位置情報サーバから受信されたアシスト情報に基づいてＧＰＳ衛星を検索する分、システム全体としての測位を開始するまでの時間を短縮することができ、また、位置情報サーバが携帯電話機の位置を特定する分、携帯電話機の負荷を軽減することができるなどの利点がある。
【０００６】
ところで、上記した一連の処理においては、携帯電話機は、ＧＰＳ衛星を検索して取得したＧＰＳ衛星情報や基地局を検索して取得した基地局情報の全てを位置情報サーバに送信する構成であることから、測位に不必要な情報や誤差を与える可能性のある情報をも位置情報サーバに送信してしまう虞がある。また、これらＧＰＳ衛星情報や基地局情報を送信するのに要する通信コストが大きいと共に通信時間が長いという問題もある。そして、仮に、携帯電話機が測位に不必要な情報や誤差を与える可能性のある情報を位置情報サーバに送信してしまうと、位置情報サーバは、その測位に不必要な情報や誤差を与える可能性のある情報による悪影響を受けて、携帯電話機の位置を正確に特定することが困難になるという問題もある。
【０００７】
本発明は、上記した事情に鑑みてなされたものであり、その目的は、適切な位置関連情報を位置情報サーバに送信することができ、また、位置関連情報を送信するのに要する通信コストを低減すると共に通信時間を短縮することができ、さらに、無線通信端末の位置を特定するシステムにおいては、無線通信端末の位置を正確に特定することができ、信頼性を高めることができる無線通信端末、コンピュータプログラムならびに位置関連情報の送信方法を提供することにある。
【０００８】
【課題を解決するための手段】
請求項１に記載した無線通信端末によれば、制御手段は、位置関連情報取得手段により位置関連情報としてＧＰＳ衛星情報が取得されると、その取得されたＧＰＳ衛星情報のうちから、位置情報サーバから電話無線手段により受信された、おおよその位置に基づいて設定されたＧＰＳ衛星電波の受信電力の閾値に基づいた送信条件を満たすＧＰＳ衛星情報を抽出し、その抽出されたＧＰＳ衛星情報を位置情報サーバに送信させるように構成したので、無線通信端末は、位置情報サーバから当該位置情報サーバが無線通信端末の位置を正確に特定し得る条件を送信条件として受信することによって、その取得されたＧＰＳ衛星情報の全てを位置情報サーバに送信するのではなく、位置情報サーバが無線通信端末の位置を正確に特定し得るのに適切なＧＰＳ衛星情報のみを抽出して位置情報サーバに送信することができる。また、ＧＰＳ衛星情報を送信するのに要する通信コストを低減すると共に通信時間を短縮することをもできる。また、無線通信端末は、ＧＰＳ衛星毎にＧＰＳ衛星電波の受信電力を閾値と比較することによって、当該ＧＰＳ衛星に関するＧＰＳ衛星情報を抽出すべきか否かを判定することになり、このように無線通信端末が適否を決定することから、その分、位置情報サーバの負荷を軽減することができる。
【０００９】
そして、無線通信端末の位置を特定する位置特定システムにおいては、これ以降、位置情報サーバは、無線通信端末から適切な位置関連情報のみを受信し、その受信された適切な位置関連情報のみに基づいて無線通信端末の位置を特定することになるので、これによって、測位精度が低下することを未然に回避することができ、無線通信端末の位置を正確に特定することができ、信頼性を高めることができる。
【００１０】
請求項２に記載した無線通信端末によれば、制御手段は、位置関連情報取得手段により位置関連情報としてＧＰＳ衛星情報が取得されると、その取得されたＧＰＳ衛星情報のうちから、位置情報サーバから電話無線手段により受信された、前記おおよその位置に基づいて設定されたＧＰＳ衛星電波の位相差のばらつきの閾値に基づいた送信条件を満たすＧＰＳ衛星情報を抽出し、その抽出されたＧＰＳ衛星情報を位置情報サーバに送信させるように構成したので、無線通信端末は、位置情報サーバから当該位置情報サーバが無線通信端末の位置を正確に特定し得る条件を送信条件として受信することによって、その取得されたＧＰＳ衛星情報の全てを位置情報サーバに送信するのではなく、位置情報サーバが無線通信端末の位置を正確に特定し得るのに適切なＧＰＳ衛星情報のみを抽出して位置情報サーバに送信することができる。また、ＧＰＳ衛星情報を送信するのに要する通信コストを低減すると共に通信時間を短縮することをもできる。また、無線通信端末は、ＧＰＳ衛星毎にＧＰＳ衛星電波の位相差のばらつきを閾値と比較することによって、当該ＧＰＳ衛星に関するＧＰＳ衛星情報を抽出すべきか否かを判定することになり、このように無線通信端末が適否を決定することから、その分、位置情報サーバの負荷を軽減することができる。
【００１１】
請求項３に記載した無線通信端末によれば、制御手段は、位置関連情報取得手段により位置関連情報として基地局情報が取得されると、その取得された基地局情報のうちから、位置情報サーバから電話無線手段により受信された、前記おおよその位置の基地局の設置形態に応じて設定された基地局電波の信号対ノイズ比の閾値に基づいた送信条件を満たす基地局情報を抽出し、その抽出された基地局情報を位置情報サーバに送信させるように構成したので、無線通信端末は、位置情報サーバから当該位置情報サーバが無線通信端末の位置を正確に特定し得る条件を送信条件として受信することによって、その取得された基地局情報の全てを位置情報サーバに送信するのではなく、位置情報サーバが無線通信端末の位置を正確に特定し得るのに適切な基地局情報のみを抽出して位置情報サーバに送信することができる。また、基地局情報を送信するのに要する通信コストを低減すると共に通信時間を短縮することをもできる。また、無線通信端末は、基地局毎に基地局電波の信号対ノイズ比を閾値と比較することによって、当該基地局に関する基地局情報を抽出すべきか否かを判定することになり、このように無線通信端末が適否を決定することから、その分、位置情報サーバの負荷を軽減することができる。
【００１２】
請求項４に記載した無線通信端末によれば、制御手段は、位置関連情報取得手段により位置関連情報として基地局情報が取得されると、その取得された基地局情報のうちから、位置情報サーバから電話無線手段により受信された、前記おおよその位置の基地局の設置形態に応じて設定された基地局電波の位相差のばらつきの閾値に基づいた送信条件を満たす基地局情報を抽出し、その抽出された基地局情報を位置情報サーバに送信させるように構成したので、無線通信端末は、位置情報サーバから当該位置情報サーバが無線通信端末の位置を正確に特定し得る条件を送信条件として受信することによって、その取得された基地局情報の全てを位置情報サーバに送信するのではなく、位置情報サーバが無線通信端末の位置を正確に特定し得るのに適切な基地局情報のみを抽出して位置情報サーバに送信することができる。また、基地局情報を送信するのに要する通信コストを低減すると共に通信時間を短縮することをもできる。また、無線通信端末は、基地局毎に基地局電波の位相差のばらつきを閾値と比較することによって、当該基地局に関する基地局情報を抽出すべきか否かを判定することになり、このように無線通信端末が適否を決定することから、その分、位置情報サーバの負荷を軽減することができる。
【００１９】
【発明の実施の形態】
（第１の実施の形態）
以下、本発明の無線通信端末を携帯電話機に適用した第１実施例について、図１ないし図４を参照して説明する。
まず、図２は、携帯電話機の機能ブロックならびに周辺の構成を概略的に示している。携帯電話機１は、マイクロコンピュータを主体としてなるＣＰＵ（Central Processing Unit ）２（本発明でいう位置関連情報取得手段、制御手段）に、ＧＰＳ（Grobal Positioning System ）衛星３を検索する（ＧＰＳ電波を無線処理する）ＧＰＳ無線部４と、ＣＤＭＡ（Code Division Multiple Access ：符号分割多元接続）方式に準じた電話処理を行うＣＤＭＡ無線部５（本発明でいう電話無線手段）と、マイクロホン６から入力した送話音声やスピーカ７から出力する受話音声を処理する音声処理部８と、「通話開始」キー、「通話終了」キー、「０」〜「９」の「数字」キーなどの多数のキーを配列したキーパッドから構成される操作部９（本発明でいう操作手段）と、日付・時刻や電話番号などを表示する液晶ディスプレイから構成される表示部１０と、ＲＡＭ（Random Access Memory  ）やＲＯＭ（Read Only Memory）から構成される記憶部１１とが接続された構成となっている。
【００２０】
このような構成では、携帯電話機１は、ＧＰＳ衛星３に関するＧＰＳ衛星情報や基地局１２に関する基地局情報を取得し、それら取得されたＧＰＳ衛星情報や基地局情報を基地局１２、基地局制御装置１３ならびにＣＤＭＡ電話網１４を通じて位置情報サーバ１５に送信し、位置情報サーバ１５は、携帯電話機１からＧＰＳ衛星情報や基地局情報を受信すると、それら受信されたＧＰＳ衛星情報や基地局情報に基づいて携帯電話機１の位置を特定する。
【００２１】
コンテンツサーバ１６は、携帯電話機１が例えばゲームソフト（ソフトウェア）や地図表示ソフトなどのアプリケーションソフトを実行するのに必要なコンテンツデータをＣＤＭＡ電話網１４、基地局制御装置１３ならびに基地局１２を通じて携帯電話機１に送信し、携帯電話機１は、コンテンツサーバ１６からコンテンツデータを受信すると、その受信されたコンテンツデータに基づいてアプリケーションソフトを実行し、例えばゲーム画面や地図表示画面などを表示部１０に表示する。
【００２２】
次に、上記した構成の作用について、図１、図３ならびに図４も参照して説明する。
携帯電話機１において、ＣＰＵ２は、例えばユーザの操作による測位開始の指示が操作部９にて行われたことを検出すると、ＣＤＭＡ無線部５により基地局１２を検索させて基地局１２に関する基地局情報を取得し、その取得された基地局情報をＣＤＭＡ無線部５から位置情報サーバ１５に送信させると共に、携帯電話機１がＧＰＳ衛星３を検索するのに有益なアシスト情報を要求する。
【００２３】
位置情報サーバ１５は、携帯電話機１から基地局情報を受信すると、その受信された基地局情報に基づいて携帯電話機１のおおよその位置を特定すると共に、携帯電話機１からアシスト情報の要求を受付けると、携帯電話機１がＧＰＳ衛星３を検索するのに有益なアシスト情報を算出する。
【００２４】
さて、ここで、位置情報サーバ１５は、ＧＰＳ衛星３に関する送信条件ならびに基地局１２に関する送信条件を設定する。具体的に説明すると、位置情報サーバ１５は、携帯電話機１から受信された基地局情報に基づいて携帯電話機１のおおよその位置を特定したことによって、その特定された位置に基づいて、図３  （ａ）に示すように、携帯電話機１が例えばＧＰＳ衛星番号「１」、「４」、  「７」、「９」、「１０」、「１２」、「１５」、「１９」、「２０」、「２１」ならびに「２３」の合計１１個のＧＰＳ衛星３を検索可能であると判定したと仮定すると、その１１個のＧＰＳ衛星３のうちから、仰角ならびに方位を相対的に比較することによって、例えばＧＰＳ衛星番号「１」、「７」、「１５」、「１９」ならびに「２１」の合計５個のＧＰＳ衛星３を「適」と判定し、その「適」と判定された５個のＧＰＳ衛星３に関するＧＰＳ衛星情報を携帯電話機１が送信するように送信条件を設定する。尚、このとき、位置情報サーバ１５は、報告すべきＧＰＳ衛星番号を指定した送信条件を設定しても良い。
【００２５】
また、位置情報サーバ１５は、携帯電話機１から受信された基地局情報に基づいて携帯電話機１のおおよその位置を特定したことによって、その特定された位置に基づいて、図３（ｂ）に示すように、携帯電話機１が例えば基地局番号「２６２」、「７２」、「９２」、「１８８」、「１８４」、「２６６」ならびに  「８０」の合計７局の基地局１２を検索可能であると判定したと仮定すると、その７局の基地局１２のうちから、方位（位置関係）を相対的に比較することによって、例えば基地局番号「２６２」、「９２」、「１８８」ならびに「２６６」の合計４局の基地局１２を「適」と判定し、その「適」と判定された４局の基地局１２に関する基地局情報を携帯電話機１が送信するように送信条件を設定する。尚、このとき、位置情報サーバ１５は、報告すべき基地局番号を指定した送信条件を設定しても良い。
【００２６】
そして、位置情報サーバ１５は、このようにして設定したＧＰＳ衛星３に関する送信条件ならびに基地局１２に関する送信条件を携帯電話機１に送信すると共に、先に算出されたアシスト情報を携帯電話機１に送信する。
【００２７】
携帯電話機１において、ＣＰＵ２は、位置情報サーバ１５からＧＰＳ衛星３に関する送信条件ならびに基地局１２に関する送信条件がＣＤＭＡ無線部５により受信されたことを検出すると共に、位置情報サーバ１５からアシスト情報がＣＤＭＡ無線部５により受信されたことを検出すると、その受信されたアシスト情報に基づいてＧＰＳ無線部４によりＧＰＳ衛星３を検索させてＧＰＳ衛星３に関するＧＰＳ衛星情報を取得すると共に、ＣＤＭＡ無線部５により基地局１２を再度検索させて基地局１２に関する基地局情報を再度取得する。
【００２８】
そして、ＣＰＵ２は、その取得されたＧＰＳ衛星３に関するＧＰＳ衛星情報のうちから、位置情報サーバ１５から受信された送信条件を満たすＧＰＳ衛星情報を抽出すると共に、その取得された基地局１２に関する基地局情報のうちから、位置情報サーバ１５から受信された送信条件を満たす基地局情報を抽出する。
【００２９】
具体的に説明すると、ＣＰＵ２は、位置情報サーバ１５から受信されたアシスト情報に基づいて、例えばＧＰＳ衛星番号「１」、「４」、「７」、「９」、  「１０」、「１２」、「１５」、「１９」、「２０」、「２１」ならびに「２３」の合計１１個のＧＰＳ衛星３に関するＧＰＳ衛星情報を取得すると、その取得されたＧＰＳ衛星情報のうちから、位置情報サーバ１５から受信された先に説明した送信条件に基づいて例えばＧＰＳ衛星番号「１」、「７」、「１５」、「１９」ならびに「２１」の合計５個のＧＰＳ衛星３に関するＧＰＳ衛星情報を抽出する。また、ＣＰＵ２は、ＣＤＭＡ無線部５により基地局１２を検索させ、例えば基地局番号「２６２」、「７２」、「９２」、「１８８」、「１８４」、「２６６」ならびに「８０」の合計７局の基地局１２に関する基地局情報を取得すると、その取得された基地局情報のうちから、位置情報サーバ１５から受信された先に説明した送信条件に基づいて例えば基地局番号「２６２」、「９２」、「１８８」ならびに「２６６」の合計４局の基地局１２に関する基地局情報を抽出する。
【００３０】
そして、ＣＰＵ２は、このようにして送信条件に基づいて抽出されたＧＰＳ衛星情報ならびに基地局情報をＣＤＭＡ無線部５から位置情報サーバ１５に送信させると共に、位置特定結果を要求する。すなわち、携帯電話機１は、取得されたＧＰＳ衛星情報ならびに基地局情報の全てを位置情報サーバ１５に送信するのではなく、取得されたＧＰＳ衛星情報ならびに基地局情報のうちから、位置情報サーバ１５から受信された送信条件を満たすＧＰＳ衛星情報ならびに基地局情報を抽出して位置情報サーバ１５に送信するものである。
【００３１】
位置情報サーバ１５は、携帯電話機１からＧＰＳ衛星情報ならびに基地局情報を受信すると共に、携帯電話機１から位置特定結果の要求を受付けると、その受信されたＧＰＳ衛星情報ならびに基地局情報に基づいて携帯電話機１の位置を特定し、特定された位置を表す位置特定結果を携帯電話機１に送信する。
【００３２】
ところで、以上は、位置情報サーバ１５において、携帯電話機１が検索可能な１１個のＧＰＳ衛星３のうちから、仰角ならびに方位を相対的に比較することによって、携帯電話機１が送信するＧＰＳ衛星情報を設定すると共に、携帯電話機１が検索可能な７局の基地局１２のうちから、方位を相対的に比較することによって、携帯電話機１が送信する基地局情報を設定するように構成したものであるが、図４に示すように、ＧＰＳ衛星電波の受信電力の閾値や位相差のばらつきの閾値を送信条件として設定すると共に、基地局電波の信号対ノイズ比の閾値や位相差のばらつきの閾値を送信条件として設定することも可能である。尚、ここでいう各々の閾値は、例えば基地局１２の設置形態や周囲環境などに基づいて決定されるものである。
【００３３】
この場合、位置情報サーバ１５において、ＧＰＳ衛星電波の受信電力の閾値を例えば「３５ｄＢ」として設定すると共に、ＧＰＳ衛星電波の位相差のばらつきの閾値を例えば「５０ｍ」として設定すると仮定すると、携帯電話機１は、取得されたＧＰＳ衛星情報のうちから、ＧＰＳ衛星電波の受信電力が「３５ｄＢ」以上であり、且つ、ＧＰＳ衛星電波の位相差のばらつきが「５０ｍ」以下である送信条件を満たすＧＰＳ衛星情報を抽出して位置情報サーバ１５に送信することになる。また、位置情報サーバ１５において、基地局電波の信号対ノイズ比の閾値を例えば「−１５ｄＢ」として設定すると共に、基地局電波の位相差のばらつきの閾値を例えば「１５０ｍ」として設定すると仮定すると、携帯電話機１は、取得された基地局情報のうちから、基地局電波の信号対ノイズ比が「−１５ｄＢ」以上であり、且つ、基地局電波の位相差のばらつきが「１５０ｍ」以下である送信条件を満たす基地局情報を位置情報サーバ１５に送信することになる。
【００３４】
尚、携帯電話機１が、ＧＰＳ衛星電波の受信電力が「３５ｄＢ」以上であるか、または、ＧＰＳ衛星電波の位相差のばらつきが「５０ｍ」以下である送信条件を満たすＧＰＳ衛星情報を抽出して位置情報サーバ１５に送信する構成であっても良く、また、基地局電波の信号対ノイズ比が「−１５ｄＢ」以上であるか、または、基地局電波の位相差のばらつきが「１５０ｍ」以下である送信条件を満たす基地局情報を抽出して位置情報サーバ１５に送信する構成であっても良い。
【００３５】
また、この場合、位置情報サーバ１５が、学習機能を有することによって、携帯電話機１に過去に送信した送信条件と、携帯電話機１から過去に受信されたＧＰＳ衛星情報ならびに基地局情報と統計し、その統計結果に基づいた送信条件を携帯電話機１に送信する構成であっても良い。
【００３６】
以上に説明したように第１実施例によれば、携帯電話機１において、ＧＰＳ衛星３に関するＧＰＳ衛星情報や基地局１２に関する基地局情報を取得すると、それら取得されたＧＰＳ衛星情報や基地局情報のうちから、位置情報サーバ１５から受信された送信条件を満たすＧＰＳ衛星情報や基地局情報を抽出し、その抽出されたＧＰＳ衛星情報や基地局情報を位置情報サーバ１５に送信するように構成したので、携帯電話機１は、位置情報サーバ１５から当該位置情報サーバ１５が携帯電話機１の位置を正確に特定し得る条件を送信条件として受信することによって、それら取得されたＧＰＳ衛星情報や基地局情報の全てを位置情報サーバ１５に送信するのではなく、位置情報サーバ１５が携帯電話機１の位置を正確に特定し得るのに適切なＧＰＳ衛星情報や基地局情報のみを抽出して位置情報サーバ１５に送信することができる。また、これらＧＰＳ衛星情報や基地局情報を送信するのに要する通信コストを低減すると共に通信時間を短縮することをもできる。
【００３７】
そして、携帯電話機１の位置を特定する位置特定システムにおいては、これ以降、位置情報サーバ１５は、携帯電話機１から適切なＧＰＳ衛星情報や基地局情報のみを受信し、その受信された適切なＧＰＳ衛星情報や基地局情報のみに基づいて携帯電話機１の位置を特定することになるので、これによって、測位精度が低下することを未然に回避することができ、携帯電話機１の位置を正確に特定することができ、信頼性を高めることができる。
【００３８】
また、この場合、位置情報サーバ１５が図３に示したような送信条件を携帯電話機１に送信する構成では、携帯電話機１において、ＧＰＳ衛星３毎に当該ＧＰＳ衛星３に関するＧＰＳ衛星情報を抽出すべきか否かを判定する必要がなく、また、基地局１２毎に当該基地局１２に関する基地局情報を抽出すべきか否かを判定する必要がなく、位置情報サーバ１５が適否を決定することから、その分、携帯電話機１の負荷を軽減することができる。
【００３９】
これに対して、位置情報サーバ１５が図４に示したような送信条件を携帯電話機１に送信する構成では、携帯電話機１において、ＧＰＳ衛星３毎にＧＰＳ衛星電波の受信電力ならびに位相差のばらつきを各々の閾値と比較することによって、当該ＧＰＳ衛星３に関するＧＰＳ衛星情報を抽出すべきか否かを判定し、また、基地局１２毎に基地局電波の信号対ノイズ比ならびに位相差のばらつきを各々の閾値と比較することによって、当該基地局１２に関する基地局情報を抽出すべきか否かを判定することになり、携帯電話機１が適否を決定することから、その分、位置情報サーバ１５の負荷を軽減することができる。
【００４０】
（第２の実施の形態）
次に、本発明の第２実施例について、図５ないし図８を参照して説明する。尚、上記した第１実施例と同一部分については説明を省略し、以下、異なる部分について説明する。
上記した第１実施例では、位置情報サーバ１５が送信条件を携帯電話機１に送信するように構成したものであるが、これに対して、この第２実施例では、携帯電話機１を使用するユーザが送信条件を設定し、携帯電話機１が当該設定された送信条件を満たすＧＰＳ衛星情報や基地局情報を位置情報サーバ１５に送信するように構成したものである。
【００４１】
すなわち、ユーザは、測位開始の指示を行うに先立って、送信条件の指示を行う。具体的に説明すると、ユーザは、例えば図６に示すような「料金・時間レベル選択画面」を読出して表示部１０に表示させた状態から、「料金・時間レベル」として、「レベル１」、「レベル２」、「レベル３」或いは「レベル４」のいずれかを選択して設定する。尚、「レベル１」、「レベル２」、「レベル３」ならびに「レベル４」のそれぞれのＧＰＳ衛星情報の送信条件ならびに基地局情報の送信条件は、例えば図７に示すように設定されている。
【００４２】
そして、携帯電話機１において、ＣＰＵ２は、このようにして送信条件が設定されたのち、ユーザの操作による測位開始の指示が操作部９にて行われたことを検出すると、ＣＤＭＡ無線部５により基地局１２を検索させて基地局１２に関する基地局情報を取得し、携帯電話機１が検索可能な基地局１２に関する基地局情報を取得し、ここでは、送信条件が設定されていることを表す送信条件設定通知をＣＤＭＡ無線部５から位置情報サーバ１５に送信させる。また、ＣＰＵ２は、その取得された基地局情報をＣＤＭＡ無線部５から位置情報サーバ１５に送信させると共に、携帯電話機１がＧＰＳ衛星３を検索するのに有益なアシスト情報を要求する。
【００４３】
位置情報サーバ１５は、携帯電話機１から送信条件設定通知を受信すると共に、携帯電話機１から基地局情報を受信すると、その受信された基地局情報に基づいて携帯電話機１のおおよその位置を特定すると共に、携帯電話機１からアシスト情報の要求を受付けると、携帯電話機１がＧＰＳ衛星３を検索するのに有益なアシスト情報を算出し、その算出されたアシスト情報を携帯電話機１に送信する。
【００４４】
携帯電話機１において、ＣＰＵ２は、位置情報サーバ１５からアシスト情報がＣＤＭＡ無線部５により受信されたことを検出すると、その受信されたアシスト情報に基づいてＧＰＳ無線部４によりＧＰＳ衛星３を検索させてＧＰＳ衛星３に関するＧＰＳ衛星情報を取得すると共に、ＣＤＭＡ無線部５により基地局１２を再度検索させて基地局１２に関する基地局情報を再度取得する。
【００４５】
そして、ＣＰＵ２は、その取得されたＧＰＳ衛星３に関するＧＰＳ衛星情報のうちから、先に設定された送信条件を満たすＧＰＳ衛星情報を抽出すると共に、その取得された基地局１２に関する基地局情報のうちから、先に設定された送信条件を満たす基地局情報を抽出する。
【００４６】
具体的に説明すると、ＣＰＵ２は、「レベル１」が設定されている場合には、ＧＰＳ衛星情報を抽出しないと共に、基地局電波の信号対ノイズ比が強いもの上位３局の基地局１２に関する基地局情報を抽出する。また、ＣＰＵ２は、「レベル２」が設定されている場合には、ＧＰＳ衛星電波の受信電力が強いもの上位３個のＧＰＳ衛星３に関するＧＰＳ衛星情報を抽出すると共に、基地局電波の信号対ノイズ比が強いもの上位２局の基地局１２に関する基地局情報を抽出する。
【００４７】
また、ＣＰＵ２は、「レベル３」が設定されている場合には、ＧＰＳ衛星電波の受信電力が「３０ｄＢ」以上であり、且つ、ＧＰＳ衛星電波の位相差のばらつきが「７０ｍ」以下である送信条件を満たすＧＰＳ衛星情報を抽出すると共に、基地局電波の信号対ノイズ比が「−２０ｄＢ」以上であり、且つ、基地局電波の位相差のばらつきが「１５０ｍ」以下である送信条件を満たす基地局情報を抽出する。さらに、ＣＰＵ２は、「レベル４」が設定されている場合には、ＧＰＳ衛星情報の全てを抽出すると共に、基地局情報の全てを抽出する。
【００４８】
そして、ＣＰＵ２は、このようにして送信条件に基づいて抽出されたＧＰＳ衛星情報ならびに基地局情報をＣＤＭＡ無線部５から位置情報サーバ１５に送信させると共に、位置特定結果を要求する。すなわち、携帯電話機１は、取得されたＧＰＳ衛星情報ならびに基地局情報の全てを位置情報サーバ１５に送信するのではなく、取得されたＧＰＳ衛星情報ならびに基地局情報のうちから、ユーザにより設定された送信条件を満たすＧＰＳ衛星情報ならびに基地局情報を抽出して位置情報サーバ１５に送信するものである。
【００４９】
尚、この場合、「レベル１」が設定されている場合には、ＧＰＳ衛星情報を送信することはなく、基地局情報のみを送信することから、携帯電話機１が位置情報サーバ１５に送信する情報量が最も小さいものであり、これに対して、「レベル４」が設定されている場合には、取得されたＧＰＳ衛星情報ならびに基地局情報の全てを送信することから、携帯電話機１が位置情報サーバ１５に送信する情報量が最も大きいものである。
【００５０】
位置情報サーバ１５は、携帯電話機１からＧＰＳ衛星情報ならびに基地局情報を受信すると共に、携帯電話機１から位置特定結果の要求を受付けると、その受信されたＧＰＳ衛星情報ならびに基地局情報とに基づいて携帯電話機１の位置を特定し、特定された位置を表す位置特定結果を携帯電話機１に送信する。
【００５１】
以上に説明したように第２実施例によれば、携帯電話機１において、ＧＰＳ衛星３に関するＧＰＳ衛星情報や基地局１２に関する基地局情報を取得すると、それら取得されたＧＰＳ衛星情報や基地局情報のうちから、ユーザの操作により設定された送信条件を満たすＧＰＳ衛星情報や基地局情報を抽出し、それら抽出されたＧＰＳ衛星情報や基地局情報を位置情報サーバ１５に送信するように構成したので、携帯電話機１は、位置情報サーバ１５に送信するＧＰＳ衛星情報や基地局情報の情報量を限定するなどＧＰＳ衛星情報や基地局情報を送信するのに要する通信コストを低減し得ると共に通信時間を短縮し得る条件を送信条件として設定することによって、ＧＰＳ衛星情報や基地局情報を送信するのに要する通信コストを低減すると共に通信時間を短縮することができる。また、その際、位置情報サーバ１５が携帯電話機１の位置を正確に特定し得るのに適切と推測される条件を設定することによって、適切なＧＰＳ衛星情報や基地局情報のみを位置情報サーバ１５に送信することをもできる。
【００５２】
（その他の実施の形態）
本発明は、上記した実施例にのみ限定されるものでなく、次のように変形または拡張することができる。
無線通信端末は、携帯電話機に限らず、携帯情報端末などの他の通信端末であっても良い。
携帯電話機が学習機能を有することによって、閾値が自動的に最適な値に決定される構成であっても良い。
第２実施例において、「レベル１」ならびに「レベル２」におけるＧＰＳ衛星の個数や基地局の局数は、他の値であっても良い。
【００５３】
位置情報サーバが携帯電話機から受信されたＧＰＳ衛星情報や基地局情報に基づいて携帯電話機の位置を特定する構成に限らず、携帯電話機が単独でＧＰＳ衛星情報や基地局情報に基づいて測位する構成に、第２実施例を適用しても良く、つまり、ユーザが測位条件（測位レベル）を設定することによって、取得されたＧＰＳ衛星情報や基地局情報の全てに基づいて測位するのではなく、取得されたＧＰＳ衛星情報や基地局情報のうちから、ユーザにより設定された測位条件を満たすＧＰＳ衛星情報や基地局情報を抽出し、それら抽出されたＧＰＳ衛星情報や基地局情報のみに基づいて測位する構成であっても良い。
【００５４】
携帯電話機が位置情報サーバから受信されたアシスト情報に基づいてＧＰＳ衛星情報ならびに基地局情報の双方を取得する構成に限らず、ＧＰＳ衛星情報のみを取得して位置情報サーバに送信する構成であっても良い。
ＣＰＵが実行するコンピュータプログラムは、最初（例えば製品化の段階）から記憶されているものに限らず、例えば特定のサーバから電話網を通じてダウンロードされたり、或いは、ＣＤ−ＲＯＭ（Compact Disk−Read Only Memory）やカードなどの記録媒体から転送されてインストールされるものであっても良い。
【図面の簡単な説明】
【図１】本発明の第１実施例の処理の流れを概略的に示す図
【図２】携帯電話機の機能ブロックならびに周辺の構成を概略的に示す図
【図３】送信条件の一例を示す図
【図４】図３相当図
【図５】本発明の第２実施例の処理の流れを概略的に示す図
【図６】携帯電話機における表示の一例を示す図
【図７】料金・時間レベルと送信条件との対応の一例を示す図
【図８】従来例を示す図
【符号の説明】
図面中、１は携帯電話機（無線通信端末）、２はＣＰＵ（位置関連情報取得手段、制御手段）、３はＧＰＳ衛星、５はＣＤＭＡ無線部（電話無線手段）、９は操作部（操作手段）、１２は基地局、１５は位置情報サーバである。
【図１】
0004049558.tif 000002
【図２】
0004049558.tif 000003
【図３】
0004049558.tif 000004
【図４】
0004049558.tif 000005
【図５】
0004049558.tif 000006
【図６】
0004049558.tif 000007
【図７】
0004049558.tif 000008
【図８】
0004049558.tif 000009